(57)【要約】【課題】  従来型のコンバインでは、エンジンが機体の前部側にあるため、機体全体の前後の重量バランスが前側寄りとなり、また、エンジンが運転席下方にあるため、メンテナンスが容易にできない問題があった。  本発明の課題は、エンジンを前側の乗用運転部と後側のグレンタンクとの間に配置することによって問題解決を図らんとするものである。【解決手段】  本発明は、前側に乗用運転部を、後側にグレンタンクを配置して設け、エンジンの一部又は全部を前記乗用運転部とグレンタンクとの間に配置してあるコンバインにおいて、エンジンの外側を覆う揺動開閉可能なエンジンカバ−の開閉支点を前記グレンタンクに設けてあることを特徴とする。【選択図】        図２
2005176664.tif 000002
【特許請求の範囲】
【請求項１】
前側に乗用運転部を、後側にグレンタンクを配置して設け、エンジンの一部又は全部を前記乗用運転部とグレンタンクとの間に配置してあるコンバインにおいて、エンジンの外側を覆う揺動開閉可能なエンジンカバ−の開閉支点を前記グレンタンクに設けてあることを特徴とするコンバイン。
【請求項２】
前記グレンタンクは、後部側を支点として揺動開閉可能に構成してあることを特徴とする請求項１記載のコンバイン。
【請求項３】
前記グレンタンクは、上部がエンジンの上方を覆うべく膨出形成してあることを特徴とする請求項１又は請求項２に記載のコンバイン。
【発明の詳細な説明】
【技術分野】
【０００１】
本発明は、穀稈を刈り取って脱穀するコンバインに関し、農業機械の技術分野に属する。
【背景技術】
【０００２】
従来、刈取脱穀部の横側部において、前側に乗用運転部を、後側にグレンタンクを配置した構成の全稈投入型の汎用コンバインは一般的に知られている（例えば、特許文献１参照。）。そして、このコンバイン各部に回転動力を伝達するエンジンは、乗用運転部の運転席下方に配置されていることも一般的に知られている。
【特許文献１】特開平５−２１９８２６号公報
【発明の開示】
【発明が解決しようとする課題】
【０００３】
このような従来型のものでは、エンジンが機体の前部側にあるため、機体全体の前後の重量バランスが前側寄りとなり、また、エンジンが運転席下方にあるため、メンテナンスが容易にできない問題があった。
【０００４】
本発明は、エンジンを前側の乗用運転部と後側のグレンタンクとの間に配置することによって問題解決を図らんとするものである。
【課題を解決するための手段】
【０００５】
本発明は、かかる課題を解決するために、次の如き技術的手段を講じた。すなわち、請求項１記載の本発明は、前側に乗用運転部を、後側にグレンタンクを配置して設け、エンジンの一部又は全部を前記乗用運転部とグレンタンクとの間に配置してあるコンバインにおいて、エンジンの外側を覆う揺動開閉可能なエンジンカバ−の開閉支点を前記グレンタンクに設けてあることを特徴とする。
【０００６】
エンジンを乗用運転部の後側で後方のグレンタンクとの間に配置したので、機体前後の重量バランスが良好に保持されることになり、エンジン自体のメンテナンスも容易となる。しかも、エンジンカバ−の開閉支点はグレンタンクに設けるようにしたので、この開閉支点を支持する特別な支持部材が不要となる。
【０００７】
請求項２記載の本発明は、請求項１において、前記グレンタンクは、後部側を支点として揺動開閉可能に構成してあることを特徴とする。
【０００８】
グレンタンクを後部側の支点回りにオ−プンすると、このグレンタンクに取り付けたエンジンカバ−も一緒にオ−プンすることになる。これによって、エンジン及びエンジン周辺のメンテナンスが容易となる。
【０００９】
請求項３記載の本発明は、請求項１又は請求項２において、前記グレンタンクは、上部がエンジンの上方を覆うべく膨出形成してあることを特徴とする。
【００１０】
グレンタンクの上部をエンジンの上方位置まで延出させたので、エンジンの上方空間を有効利用でき、タンク自体の容量を大幅に増大することができる。
【発明の効果】
【００１１】
以上要するに、請求項１の発明によれば、エンジンを前側の乗用運転部と後側のグレンタンクとの間に配置したので、機体前後の重量バランスを良好に保持でき、エンジン自体のメンテナンスも容易にできる。しかも、エンジンカバ−の開閉支点はグレンタンクに設けたので、該カバ−の開閉支点を支持する特別な支持部材が不要となり、簡単に構成することができる。
【００１２】
請求項２の発明によれば、請求項１の発明と同様の効果を奏するものでありながら、グレンタンクをオ−プンすると、エンジンカバ−も一緒にオ−プンすることになるので、エンジン及びエンジン周辺のメンテナンスが極めて容易にできる。
【００１３】
請求項３の発明によれば、請求項１又は請求項２の発明による作用効果を奏するものでありながら、グレンタンクの上部はエンジンの上方を覆う位置まで延出してあるので、エンジンの上方空間を有効利用できて、タンク自体の容量を大幅に増大することができる。
【発明を実施するための最良の形態】
【００１４】
以下、本発明の実施例を図面に基づいて具体的に説明する。
【００１５】
まず、全稈投入型の汎用コンバインの構成について述べる。
【００１６】
走行クロ−ラ１を具備する車体２上には、前部に昇降可能な刈取部３を、後部に全稈投入型の脱穀部４を搭載している。刈取部３のフイ−ダハウスの横側部にはキャビン５とこのキャビン内に運転席６や操作部７などからなる乗用運転部８が設置され、その後方にはグレンタンク９が装備されている。
【００１７】
刈取部３は、立毛する穀稈を後方に掻き寄せる掻込リ−ル１０と、穀稈を根本から切断する刈取装置１１と、刈取後の穀稈を集送して後方に掻き込む集送オ−ガ１２と、該集送オ−ガ１２によって掻き込まれた穀稈を受け入れて後方の脱穀部４に揚上搬送するフイ−ドコンベア１３及びこのフイ−ドコンベア１３を内装軸架するフイ−ダハウス１４とからなり、機体に対し刈取昇降シリンダ１５を介して上下に昇降するよう構成されている。
【００１８】
前記運転席６と後方のグレンタンク９との間にはエンジン１６が搭載されており、該エンジン１６からＨＳＴ（油圧無断変速装置）１７及び走行ミッションケ−ス１８内のミッション装置を介して前記走行クロ−ラ２、２が駆動される構成である。
【００１９】
エンジン１６の外側を覆うエンジンカバ−２１は、グレンタンク９の前端部に装着した上下方向の支点軸２２回りに揺動開閉するよう回動自在に枢着連結した構成としている。また、前記グレンタンク９は、該タンクの後部に連通した排出オ−ガ２３への揚穀オ−ガ筒２４を中心として、つまり、上下垂直方向に立設した揚穀オ−ガ筒２４の縦軸芯Ｐ回りに揺動開閉するよう構成している。
【００２０】
２５はエンジンカバ−２１のロックガイドで、タンクフレ−ム２６に装着している。２７はグレンタンク９のオ−プンレバ−で、このオ−プンレバ−２７をタンクオ−プン方向に引き操作すると、揺動ア−ム２８が支点Ｑ回りに回動し、ワイヤ−２９を引いて係止フック３０を作動させ、脱穀フレ−ム側より突設したロックピン３１に対するロック状態を解除するように連動構成している。かかる実施例では、エンジンカバ−のロックガイドとグレンタンクのオ−プンレバ−とが近くにあるため、ロックガイドを持ちながらグレンタンクをオ−プンすることができ、タンクオ−プン操作が容易となる。
【００２１】
グレンタンク９は、前部側をエンジン１６の上方を覆う位置まで延出させて増量膨出部９ａを設けた構成としている。また、前記タンク９の脱穀部４側の側面部は、該脱穀部側の１番昇降機３２と扱胴伝動ギヤボックス３３との間の空間内にまで入り込むように膨出させて増量膨出部９ｂを設けることによりタンクの容量アップを図るようにしている。
【００２２】
エンジン１６横側部にはエンジン冷却フアン４０が装備され、エンジンの前側にはオイルク−ラ４１、ラジエ−タ４２、冷却フアン４３及びオイルタンク４４等が設置されている。４５は防塵スクリ−ン、４６はラジエ−タカバ−で、揺動開閉自在に構成されている。
【００２３】
グレンタンク９の増量膨出部９ａの下方空間内には冷媒を冷却するためのコンデンサ４７を斜めに配置させて設けている。これによれば、コンデンサを脱穀部の上面に取り付けた場合のように外観を損なうことがなく、また、開閉可能なコンデンサカバ−４８の側面部に通風孔４９を設けておくと、斜めに設置したコンデンサに風の吸入が容易となる。なお、コンデンサカバ−４８は、前記エンジンカバ−２１と一体的に揺動開閉する構成であってもよい。
【００２４】
更に、前記コンデンサ４７と下方のエンジン１６との間には、図４に示すような遮熱板５０を設け、エンジンの熱風による冷却効果の低下を防ぐようにしている。そして、この遮熱板５０は、グレンタンク９側に取り付けることによって、このグレンタンクをオ−プンするとき、これと一緒に開き、エンジンの上方が大きく開放されるようになっている。
【００２５】
図１０に示すように、脱穀部４の左側面部には、一部が開放可能な開放部５３を設け、唐箕５４への無段変速装置（ベルコン）５５の変速操作により風量調節を行う風量調節レバ−５６は、前記開放部５３側と同じ側で、且つ、その近くに配置して設けた構成としている。従って、これによれば、開放部から揺動棚上における被選別物の流れを見ながら風量調節レバ−の切替変更操作が可能となり、乗用運転部に乗り降りすることなく、作業を能率よく行うことができる。
【００２６】
また、同じく、図１０に示すように、手扱ぎクラッチレバ−５７においても前記と同様に左側面部側で刈取部３の側面部適所に設けておくと便利である。手扱ぎクラッチレバ−５７は、手刈りした枕地穀稈を集送オ−ガ１２の受樋内に直接投入して処理する場合に用いるもので、この時には、掻込リ−ル１０や刈取装置１１の駆動を停止させておくことで、作業を安全に行うことができる。従って、掻込リ−ル１０及び刈取装置１１への伝動経路途中には断続クラッチ５８を設け、この断続クラッチ５８と手扱ぎクラッチレバ−５７とをクラッチワイヤ５９を介して入切可能に連動させた構成とするものである。
【００２７】
図５、図６に示すように、多品種の脱穀作業を行う汎用コンバインの扱胴伝動ギヤボックス３３において、扱胴１９の回転速度を可変できる脱穀チェンジレバ−３４が脱穀上部及び機体下方より操作できる位置に配置されている。つまり、図１２、図１３にも示されているように、ギヤボックス３３内のギヤＧ１，Ｇ２が噛み合って「稲・麦」、ギヤＧ３，Ｇ４が噛み合って「大豆」、いづれにも噛み合わない状態が中立「Ｎ」とし、それらいづれかの位置に脱穀チェンジレバ−３４位置を選択して切替操作すればよい。脱穀部に詰りが生じた際、脱穀部上でチェンジレバ−３４を中立位置に操作すれば、除去作業が可能となり、作物別によるチェンジ操作も下方よりできる位置に配置することで、どこにいても操作可能となり、作業の能率化が図れる。
【００２８】
図４に示す汎用コンバインにおいて、オペレ−タが運転位置から刈取部後方の刈跡がよく見える位置にミラ−６０を装備している。刈取作業中、刈跡を見るためには、オペレ−タは後方に振り向いて刈取部の後方を覗き込むようにしなければならず、低刈時には土などを噛み込んで品質低下を招く問題がある。本例では上記のようなミラ−を設けることによって、運転席に座ったままで目線を大きく動かさずに刈跡を見ることができ、低刈りであっても泥土の噛み込みなど穀粒品質に影響を及ぼすような事態を未然に防ぐことができ、刈跡処理の容易な低刈りが可能となる。
【００２９】
脱穀部４で脱穀処理され、１番昇降機３２を介して揚穀される１番穀物はグレンタンク９内に供給される。この１番昇降機３２には、図１４に示すように、グレンタンク内を均平に拡散させる装置として拡散フアン６１を設けている。拡散フアン６１は、昇降駆動軸６２から駆動スプロケット６３、伝動チエン６４、伝動スプロケット６５を介してフアン伝動軸６６を回転駆動し、このフアン伝動軸６６からベベルギヤ６７，６８を介してフアン軸６９を回転駆動するよう連動構成している。
【００３０】
フアン軸６９にはフアン６１自体に一定以上の負荷がかかると、該フアン軸６９が空転するカムクラッチ７０を設けて、不慮の破損を招かないように構成している。グレンタンク内の穀粒が満杯状態となり、フアン部まで穀粒が溜まった時、フアンに所定の負荷がかかることになるが、この負荷が一定以上になると、カムクラッチによってフアン軸が空転し、フアン自体の不慮の破損を防ぐことができる。
【００３１】
図１４に示す実施例では、カムクラッチ７０をフアン側（フアン軸６９）に設けた構成としているが、図１５に示す実施例のように、カムクラッチ７０を１番昇降機外側の入力伝動経路側、即ち、伝動スプロケット６５とフアン伝動軸６６との間に設けるようにすると、フアン側のように塵埃の侵入がなく、メンテナンスも容易にできる。また、図１４に示す実施例では、拡散フアン６１は、略水平面内において回転する構成であるが、図１５に示す実施例では、フアン６１の回転圏下面及びケ−シング底面７１がグレンタンク９側が下方に低くなるよう傾斜させた構成としている。これによれば、穀粒がケ−シング底面の下り傾斜面に沿って速やかに流下し、ケ−シング底面上での残留がなく、フアンとの干渉がなくなるので、損傷粒による品質低下を招かない。
【００３２】
図１６は乗用運転部の平面図を示すものであるが、走行速度を変速制御するＨＳＴレバ−７５には、掻込リ−ル１０を昇降制御するリ−ル昇降スイッチ（ワンタッチスイッチ）７６を設け、運転席６の足元近くには、左右クロ−ラ１，１の正逆回転により機体を超心地旋回（スピンタ−ン）させるスピンタ−ンペダルスイッチ７７を設けている。
【００３３】
刈取作業時には、右手でパワステレバ−７８を前後及び左右に操作しながら刈取部の昇降制御と機体左右の操向制御を行い、左手ではＨＳＴレバ−７５の前後方向の操作で走行速度を制御しながら、リ−ル昇降スイッチ７６のワンタッチ操作で掻込リ−ル１０の昇降制御を行うことができる。そして、一行程の刈取作業が終了して機体を旋回する時には、足元のスピンタ−ンペダルスイッチ７７の踏込操作で、左右走行クロ−ラ１，１を正逆回転させて機体を速やかに旋回させることができる。
【図面の簡単な説明】
【００３４】
【図１】汎用コンバインの左側面図
【図２】汎用コンバインの要部の右側面図
【図３】グレンタンクの正面図
【図４】汎用コンバインの右側面図
【図５】汎用コンバインの右側面図
【図６】汎用コンバインの要部の平面図
【図７】同上要部の平面図
【図８】同上要部の正面図
【図９】同上要部の右側面図
【図１０】汎用コンバインの斜視図
【図１１】コンバイン要部の展開伝動経路図
【図１２】同上要部の展開伝動経路図
【図１３】扱胴伝動ギヤボックスの平面図
【図１４】１番昇降機の要部の側断面図
【図１５】同上要部の側断面図
【図１６】乗用運転部の平面図
【符号の説明】
【００３５】
１    走行クロ−ラ                ２    車体
３    刈取部                      ４    脱穀部
５    キャビン                    ６    運転席
７    操作部                      ８    乗用運転部
９    グレンタンク                ９ａ  増量膨出部
１６    エンジン                  ２１    エンジンカバ−
２２    支点軸                    ２４    揚穀オ−ガ筒
２５    ロックガイド              ２７    オ−プンレバ−
【図１】
2005176664.tif 000003
【図２】
2005176664.tif 000004
【図３】
2005176664.tif 000005
【図４】
2005176664.tif 000006
【図５】
2005176664.tif 000007
【図６】
2005176664.tif 000008
【図７】
2005176664.tif 000009
【図８】
2005176664.tif 000010
【図９】
2005176664.tif 000011
【図１０】
2005176664.tif 000012
【図１１】
2005176664.tif 000013
【図１２】
2005176664.tif 000014
【図１３】
2005176664.tif 000015
【図１４】
2005176664.tif 000016
【図１５】
2005176664.tif 000017
【図１６】
2005176664.tif 000018